(57)【要約】【課題】ゲージ体を把持し、ゲージ体の先端部側部の固定当接部及びスライド体の側部の可動当接部の先端部の盤面当接部を遊技盤面に当接し、任意の添接辺部を障害釘の軸部に対向させることにより障害釘の突出角度とゲージ角度とを比較し、突出角度とゲージ角度とのずれを視認し、障害釘の突出角度を調整する目安とすることができる。【解決手段】ゲージ体１の先端部側部に固定当接部２を設けると共にゲージ体にスライド体３をスライド自在に設け、スライド体の側部に可動当接部４を設け、固定当接部及び可動当接部の先端部に遊技盤面Ｆに当接可能な盤面当接部５を形成すると共に固定当接部及び可動当接部の側辺部に遊技盤面の法線Ｎに対して所定のゲージ角度θをなすと共に遊技盤面に突出している障害釘Ｋの軸部Ｐに添接可能な添接辺部６を形成してなる。【選択図】図１
2005224438.tif 000002
【特許請求の範囲】
【請求項１】
ゲージ体の先端部側部に固定当接部を設けると共に該ゲージ体にスライド体をスライド自在に設け、該スライド体の側部に可動当接部を設け、該固定当接部及び可動当接部の先端部に遊技盤面に当接可能な盤面当接部を形成すると共に該固定当接部及び可動当接部の側辺部に遊技盤面の法線に対して所定のゲージ角度をなすと共に遊技盤面に突出している障害釘の軸部に添接可能な添接辺部を形成しなることを特徴とする釘角度調整用ゲージ。
【請求項２】
ゲージ体の先端部両側部に固定当接部を設けると共に該ゲージ体にスライド体をスライド自在に設け、該スライド体の両側部に可動当接部を設け、該各固定当接部及び各可動当接部の先端部に遊技盤面に当接可能な盤面当接部を形成すると共に該各固定当接部及び各可動当接部の側辺部に遊技盤面の法線に対して所定のゲージ角度をなすと共に遊技盤面に突出している障害釘の軸部に添接可能な添接辺部を形成しなることを特徴とする釘角度調整用ゲージ。
【請求項３】
上記添接辺部を上記固定当接部及び可動当接部の両側辺部に形成してなることを特徴とする請求項１又は２記載の釘角度調整用ゲージ。
【請求項４】
上記ゲージ体と上記スライド体との間のスライド部分に板バネを設けてなることを特徴とする請求項１〜３のいずれか１項に記載の釘角度調整用ゲージ。
【請求項５】
上記添接辺部のゲージ角度をそれぞれ異なるゲージ角度に形成してなることを特徴とする請求項１〜４のいずれか１項に記載の釘角度調整用ゲージ。
【請求項６】
上記添接辺部のゲージ角度を遊技盤面の法線に対して鈍角又は鋭角のゲージ角度に形成してなることを特徴とする請求項１〜５のいずれか１項に記載の釘角度調整用ゲージ。
【発明の詳細な説明】
【技術分野】
【０００１】
本発明は例えばパチンコ遊技機やコイン遊技機等の遊技盤面に打ち込まれている障害釘を遊技盤面に対して所定の突出角度に調整する際に用いられる釘角度調整用ゲージに関するものである。
【背景技術】
【０００２】
従来、従来この種の釘角度調整用ゲージとして、例えば、ゲージ体の先端辺部に遊技盤面に当接可能な盤面当接部を形成し、該ゲージ体の側辺部に遊技盤面の法線に対して所定のゲージ角度をなすと共に遊技盤面に突出している障害釘の軸部に添接可能な添接辺部を形成してなる構造のものが知られている。
【０００３】
しかして、ゲージ体の先端辺部の盤面当接部を遊技盤面に直交状に当接し、添接辺部を障害釘の軸部に対向させることにより、障害釘の突出角度とゲージ角度とを比較し、突出角度とゲージ角度とのずれを視認し、障害釘の突出角度を調整する目安とするようにしている。
【特許文献１】特開２００１−２７６３３６
【発明の開示】
【発明が解決しようとする課題】
【０００４】
しかしながら上記従来構造の場合、ゲージ体の先端辺部の盤面当接部はゲージ体の板厚分の接触面積となっているので、遊技盤面に対してゲージ体を直交状に当接させることが厄介であり、このため、釘角度調整の作業性を低下させることがあるという不都合を有している。
【課題を解決するための手段】
【０００５】
本発明はこれらの不都合を解決することを目的とするもので、本発明のうちで、請求項１記載の発明は、ゲージ体の先端部側部に固定当接部を設けると共に該ゲージ体にスライド体をスライド自在に設け、該スライド体の側部に可動当接部を設け、該固定当接部及び可動当接部の先端部に遊技盤面に当接可能な盤面当接部を形成すると共に該固定当接部及び可動当接部の側辺部に遊技盤面の法線に対して所定のゲージ角度をなすと共に遊技盤面に突出している障害釘の軸部に添接可能な添接辺部を形成しなることを特徴とする釘角度調整用ゲージにある。
【０００６】
又、請求項２記載の発明は、ゲージ体の先端部両側部に固定当接部を設けると共に該ゲージ体にスライド体をスライド自在に設け、該スライド体の両側部に可動当接部を設け、該各固定当接部及び各可動当接部の先端部に遊技盤面に当接可能な盤面当接部を形成すると共に該各固定当接部及び各可動当接部の側辺部に遊技盤面の法線に対して所定のゲージ角度をなすと共に遊技盤面に突出している障害釘の軸部に添接可能な添接辺部を形成しなることを特徴とする釘角度調整用ゲージにある。
【０００７】
又、請求項３記載の発明は、上記添接辺部を上記固定当接部及び可動当接部の両側辺部に形成してなることを特徴とするものであり、又、請求項４記載の発明は、上記ゲージ体と上記スライド体との間のスライド部分に板バネを設けてなることを特徴とするものであり、又、請求項５記載の発明は、上記添接辺部のゲージ角度をそれぞれ異なるゲージ角度に形成してなることを特徴とするものであり、又、請求項６記載の発明は、上記添接辺部のゲージ角度を遊技盤面の法線に対して鈍角又は鋭角のゲージ角度に形成してなることを特徴とするものである。
【発明の効果】
【０００８】
本発明は上述の如く、請求項１記載の発明にあっては、ゲージ体を把持し、ゲージ体の先端部側部の固定当接部及びスライド体の側部の可動当接部の先端部の盤面当接部を遊技盤面に当接し、任意の添接辺部を障害釘の軸部に対向させることにより障害釘の突出角度とゲージ角度とを比較し、突出角度とゲージ角度とのずれを視認し、障害釘の突出角度を調整する目安とすることができ、それだけ、釘角度調整の作業性を向上することができ、かつ、スライド体をスライドすることにより遊技盤面に突出している障害釘に邪魔されることなく盤面当接部を遊技盤面に当接することができ、使用の融通性を高めることができ、釘角度調整の作業性を向上することができる。
【０００９】
又、請求項２記載の発明にあっては、ゲージ体の先端部両側部に固定当接部を設けると共にスライド体の両側部に可動当接部を設けているから、一方の固定当接部と一方の可動当接部及びゲージ体を反転することにより他方の固定当接部と他方の可動当接部を遊戯盤面に当接して使用することができ、右利き及び左利き使用することができると共にゲージ角度に対する作業の融通性を高めることができる。
【００１０】
又、請求項３記載の発明にあっては、上記添接辺部を上記固定当接部及び可動当接部の両側辺部に形成してなるから、ゲージ角度に対する使用の融通性を高めることができ、又、請求項４記載の発明にあっては、上記ゲージ体と上記スライド体との間のスライド部分に板バネを設けてなるから、スライド隙間によるがたつきを抑制することができ、スライド体のスライド動作を円滑に行うことができ、又、請求項５記載の発明にあっては、上記添接辺部のゲージ角度をそれぞれ異なるゲージ角度に形成してなるから、使用の融通性を高めることができ、又、請求項６記載の発明にあっては、添接辺部のゲージ角度を遊技盤面の法線に対して鈍角又は鋭角のゲージ角度に形成してなるから、鈍角ゲージ又鋭角ゲージとして使用することができ、それだけ、釘角度調整の作業性を向上することができる。
【発明を実施するための最良の形態】
【００１１】
図１乃至図１０は本発明の実施の形態例を示し、図１乃至図７は第一形態例、図８乃至図１０は第二形態例である。
【００１２】
図１乃至図７の第一形態例において、１はゲージ体であって、長尺四角板状のステンレス鋼等の金属により製作され、ゲージ体１の先端部両側部にそれぞれ固定当接部２・２を突設すると共にスライド体３をゲージ体１に沿ってスライド自在に設け、スライド体３の両側部に可動当接部４・４を設けて構成している。
【００１３】
この場合、上記ゲージ体１の長手方向両側辺にスライド片３ａ・３ａを摺接自在に対設し、このスライド片３ａ・３ａに上記可動当接部４・４を一体に形成し、ゲージ体１の表面及び裏面にガイド板３ｂ・３ｂを摺接自在に対設し、一方のガイド板３ｂを一方のスライド片３ａにボルト３ｃにより固着すると共に他方のガイド板３ｂを他方のスライド片３ａにボルト３ｃにより固着し、一方のガイド板３ｂにゲージ体１の表面に圧接離反される止着ボルト３ｄを螺着すると共にゲージ体１の基端部に一方のガイド板３ｂに当接可能なストッパーボルト３ｅを固定し、かつ、上記ゲージ体１と上記スライド体３との間のスライド部分に板バネ７を設け、すなわち、スライド片３ａにバネ受け溝３ｆを形成し、バネ受け溝３ｆにゲージ体１の長手方向側端面に弾圧接触可能なバネ鋼等からなる板バネ７を内装して構成している。
【００１４】
しかして、上記止着ボルト３ｄを弛緩した状態でスライド体３をゲージ体１に沿って摺動可能となり、上記止着ボルト３ｄを緊締した状態でスライド体３をゲージ体１に位置固定することができる。
【００１５】
５・５・５・５は盤面当接部、６・６・６・６・６・６・６・６は添接辺部であって、この盤面当接部５・５・５・５は上記各固定当接部２・２及び各可動当接部４・４の先端部に形成され、パチンコ遊技機、コイン遊技機等の遊技盤面Ｆに当接可能に形成され、かつ、各固定当接部２・２及び各可動当接部４・４の両側辺部に遊技盤面Ｆの法線Ｎに対して所定のゲージ角度θをなすと共に遊技盤面Ｆに突出している障害釘Ｋの軸部Ｐに添接可能な各四個ずつ合計八個の添接辺部６を形成すると共に障害釘Ｋの傘部Ｔの逃げ部Ｓを形成している。
【００１６】
この場合、添接辺部６・６・６・６・６・６・６・６の遊技盤面Ｆの法線Ｎに対して所定のゲージ角度θはそれぞれ異なるゲージ角度に形成され、かつ、図示省略しているが、各固定当接部２・２及び各可動当接部４・４に各添接辺部６・６・６・６・６・６・６・６の近傍に位置して遊技盤面Ｆの法線Ｎに対して所定のゲージ角度θの数値を刻印するようにしている。例えば、２、３、４、５の数値を刻印又は印刷等し、その数値がゲージ角度θを視認するようにしている。
【００１７】
又、この場合、上記添接辺部６・６・６・６・６・６・６・６のゲージ角度θを遊技盤面Ｆの法線Ｎに対して鈍角のゲージ角度に形成してなることを特徴とするものである。
【００１８】
この実施の第一形態例は上記構成であるから、図４の如く、ゲージ体１を把持し、ゲージ体１の先端部側部の固定当接部２及びスライド体３の側部の可動当接部４の先端部の盤面当接部５・５を遊技盤面Ｆに当接し、任意の添接辺部６を障害釘Ｋの軸部Ｐに対向させることにより障害釘Ｋの突出角度とゲージ角度θとを比較し、突出角度とゲージ角度θとのずれを視認し、障害釘Ｋの突出角度を調整する目安とすることができ、それだけ、釘角度調整の作業性を向上することができ、かつ、スライド体３をスライドすることにより遊技盤面Ｆに突出している障害釘Ｋに邪魔されることなく盤面当接部５・５を遊技盤面Ｆに当接することができ、使用の融通性を高めることができ、釘角度調整の作業性を向上することができる。
【００１９】
又、この場合、ゲージ体１の先端部両側部に固定当接部２・２を設けると共にスライド体３の両側部に可動当接部４・４を設けているから、一方の固定当接部２と一方の可動当接部４及びゲージ体１を反転することにより他方の固定当接部２と他方の可動当接部４を遊戯盤面Ｆに当接して使用することができ、右利き及び左利き使用することができると共にゲージ角度θに対する作業の融通性を高めることができる。
【００２０】
又、この場合、上記添接辺部６・６・６・６・６・６・６・６を上記固定当接部２・２及び可動当接部４・４の両側辺部に形成してなるから、図６、図７の如く、ゲージ角度に対する使用の融通性を高めることができ、又、この場合、上記ゲージ体１と上記スライド体３との間のスライド部分に板バネ７を設けてなるから、スライド隙間によるがたつきを抑制することができ、スライド体３のスライド動作を円滑に行うことができ、又、この場合、上記添接辺部６・６・６・６・６・６・６・６のゲージ角度θをそれぞれ異なるゲージ角度に形成してなるから、使用の融通性を高めることができる。
【００２１】
図８乃至図１０の第二形態例は別例構造を示し、この場合、上記第一形態例の上記添接辺部６・６・６・６・６・６・６・６のゲージ角度θが法線Ｎよりもプラス側のいわゆる鈍角ゲージと称されるものであるが、この第二形態例にあっては、遊技盤面Ｆの法線Ｎよりもマイナス側のいわゆる鋭角ゲージと称される添接辺部６・６・６・６及び鈍角ゲージと称される添接辺部６・６・６・６をそれぞれ対向状に形成して構成している。
【００２２】
この第二形態例にあっても、図８の如く、上記第一形態例と同様な作用効果を得ることができると共に図９、図１０の如く、鈍角ゲージ又鋭角ゲージとして使用することができ、それだけ、釘角度調整の作業性を向上することができる。
【００２３】
尚、本発明は上記実施の形態例に限られるものではなく、例えば、上記形態例においては、ゲージ体１の先端部両側部に固定当接部２・２を設けると共にスライド体３の両側部に可動当接部４・４を設けているが、ゲージ体１の先端部一方側部に固定当接部２を設けると共にスライド体３の一方側部に可動当接部４を設けて構成することもでき、又、この場合、上記添接辺部６を上記固定当接部２・２及び可動当接部４・４の両側辺部に形成しているが、固定当接部２・２及び可動当接部４・４の一方側辺部にのみ形成することもでき、又、例えば、ゲージ体１、固定当接部２、スライド体３、可動当接部４、盤面当接部５、添接辺部６の材質や形状や、ゲージ角度θの値等は適宜設計して変更される。
【００２４】
以上、所期の目的を充分達成することができる。
【図面の簡単な説明】
【００２５】
【図１】本発明の実施の第一形態例の全体斜視図である。
【図２】本発明の実施の第一形態例の全体正面図である。
【図３】本発明の実施の第一形態例の分解斜視図である。
【図４】本発明の実施の第一形態例の部分拡大断面図である。
【図５】本発明の実施の第一形態例の使用状態の正面図である。
【図６】本発明の実施の第一形態例の使用状態の拡大正面図である。
【図７】本発明の実施の第一形態例の使用状態の拡大正面図である。
【図８】本発明の実施の第二形態例の使用状態の正面図である。
【図９】本発明の実施の第二形態例の使用状態の拡大正面図である。
【図１０】本発明の実施の第二形態例の使用状態の拡大正面図である。
【符号の説明】
【００２６】
Ｆ    遊技盤面
Ｋ    障害釘
Ｐ    軸部
１    ゲージ体
２    固定当接部
３    スライド体
４    可動当接部
５    盤面当接部
６    添接辺部
７    板バネ
【図１】
2005224438.tif 000003
【図２】
2005224438.tif 000004
【図３】
2005224438.tif 000005
【図４】
2005224438.tif 000006
【図５】
2005224438.tif 000007
【図６】
2005224438.tif 000008
【図７】
2005224438.tif 000009
【図８】
2005224438.tif 000010
【図９】
2005224438.tif 000011
【図１０】
2005224438.tif 000012